(57)【要約】【課題】  機器管理において、機器管理者の利便性を向上させる。【解決手段】  管理対象領域に設置された機器を示す識別子が該管理対象領域のレイアウト画像に重畳された画面を表示する表示制御部６０６と、前記表示された画面における前記識別子に対して行われた操作の内容を識別する操作識別部６０７と、前記識別された操作の内容と、前記機器の機器状態とに応じて、前記機器の機器状態を制御するプロファイル設定状態制御部６０８または稼働状態制御部６０９とを有する。【選択図】図６
2015170123.tif 000002
【特許請求の範囲】
【請求項１】
管理対象領域に設置された機器を示す識別子が該管理対象領域のレイアウト画像に重畳された画面を表示する表示手段と、
前記表示された画面における前記識別子に対する操作の内容を識別する識別手段と、
前記識別された操作の内容と、前記機器の機器状態とに応じて、前記機器の機器状態を制御する制御手段と
を有することを特徴とする情報処理装置。
【請求項２】
前記情報処理装置を操作するユーザを特定する情報に対応付けて格納されている、前記管理対象領域に関する情報を取得する第１の取得手段と、
前記取得した管理対象領域に関する情報に対応付けて格納されている、前記管理対象領域に設置されている機器に関する機器情報及び前記管理対象領域のレイアウト画像を取得する第２の取得手段と、
前記第２の取得手段により取得された前記管理対象領域に設置されている機器に関する機器情報及び前記管理対象領域のレイアウト画像を用いて前記画面を生成する生成手段と
を有することを特徴とする請求項１に記載の情報処理装置。
【請求項３】
前記機器情報には、前記機器の機器状態に関する情報として、前記機器のプロファイルの設定状態に関する情報と、前記機器の稼働状態に関する情報とが含まれていることを特徴とする請求項２に記載の情報処理装置。
【請求項４】
前記生成手段は、
前記機器の稼働状態に関する情報に基づいて、前記機器の電源がＯＮ状態にあるのかＯＦＦ状態にあるのかを判定し、前記機器を示す識別子が当該判定の結果に応じた表示態様となるように、前記画面を生成することを特徴とする請求項３に記載の情報処理装置。
【請求項５】
前記制御手段は、前記画面において操作が行われた識別子により特定される機器の電源がＯＦＦ状態からＯＮ状態になるように、または、ＯＮ状態からＯＦＦ状態になるように、該機器に指示することを特徴とする請求項１に記載の情報処理装置。
【請求項６】
前記制御手段は、前記画面において操作が行われた識別子により特定される機器に新たなプロファイルが設定されるように、該機器に該新たなプロファイルを送信することを特徴とする請求項１に記載の情報処理装置。
【請求項７】
前記制御手段は、前記管理対象領域に設置されたすべての機器に新たなプロファイルが設定されるように、該すべての機器に該新たなプロファイルを送信することを特徴とする請求項１に記載の情報処理装置。
【請求項８】
機器と
前記機器とネットワークを介して接続され、該機器を管理する情報処理装置と、を有する情報処理システムであって、
管理対象領域に設置された前記機器を示す識別子が該管理対象領域のレイアウト画像に重畳された画面を表示する表示手段と、
前記表示された画面における前記識別子に対して行われた操作の内容を識別する識別手段と、
前記識別された操作の内容と、前記機器の機器状態とに応じて、前記機器の機器状態を制御する制御手段と
を有することを特徴とする情報処理システム。
【請求項９】
管理対象領域に設置された機器を示す識別子が該管理対象領域のレイアウト画像に重畳された画面を表示する表示工程と、
前記表示された画面における前記識別子に対して行われた操作の内容を識別する識別工程と、
前記識別された操作の内容と、前記機器の機器状態とに応じて、前記機器の機器状態を制御する制御工程と
を有することを特徴とする情報処理方法。
【請求項１０】
コンピュータに、
管理対象領域に設置された機器を示す識別子が該管理対象領域のレイアウト画像に重畳された画面を表示する表示工程と、
前記表示された画面における前記識別子に対して行われた操作の内容を識別する識別工程と、
前記識別された操作の内容と、前記機器の機器状態とに応じて、前記機器の機器状態を制御する制御工程と
を実行させるためのプログラム。
【発明の詳細な説明】
【技術分野】
【０００１】
本発明は、情報処理システム、情報処理装置、情報処理方法及びプログラムに関する。
【背景技術】
【０００２】
オフィス等の作業空間においては、コピー機やプリンタ、ファクシミリ、複合機等の様々な事務機器（以下、単に「機器」と称す）が設置されており、通常、機器管理者によって管理されている。
【０００３】
従来より、このような機器の管理における機器管理者の作業負荷を低減させるべく、種々の提案がなされている。例えば、特許文献１には、管理対象となる各機器の現状の状態に関する情報をネットワークを介して取得する機器管理用のアプリケーションが開示されている。
【発明の概要】
【発明が解決しようとする課題】
【０００４】
しかしながら、作業空間の規模が拡大し機器の数が増加してくると、機器管理者にとっては、各機器の状態を取得する以前に、そもそも、管理対象となる機器自体の把握が困難となってくる。特に、機器のレイアウト変更や入れ替え等が頻繁に行われる場合にあっては、その問題が顕著となる。
【０００５】
このようなことから、オフィス等の作業空間に設置された機器の管理においては、現状の管理対象の機器を機器管理者が容易に把握できるユーザインタフェースを提供し、機器管理者の利便性を向上させることが求められている。
【０００６】
本発明は上記課題に鑑みてなされたものであり、機器管理における機器管理者の利便性を向上させることを目的とする。
【課題を解決するための手段】
【０００７】
本発明の実施形態に係る管理サーバ装置は、以下のような構成を有する。すなわち、
管理対象領域に設置された機器を示す識別子が該管理対象領域のレイアウト画像に重畳された画面を表示する表示手段と、
前記表示された画面における前記識別子に対して行われた操作の内容を識別する識別手段と、
前記識別された操作の内容と、前記機器の機器状態とに応じて、前記機器の機器状態を制御する制御手段とを有する。
【発明の効果】
【０００８】
本発明の各実施形態によれば、機器管理における機器管理者の利便性を向上させることが可能となる。
【図面の簡単な説明】
【０００９】
【図１】実施形態に係る機器管理システムの全体構成を示す図である。
【図２】レイアウト情報の一例を示す図である。
【図３】社員情報の一例を示す図である。
【図４】機器情報の一例を示す図である。
【図５】実施形態に係る機器管理装置のハードウェア構成を示す図である。
【図６】機器管理アプリケーションの機能構成を示す図である。
【図７】機器管理画面の一例を示す図である。
【図８】機器管理アプリケーションによる機器管理処理の流れを示すフローチャートである。
【図９】機器管理アプリケーションの起動時の画面を示す図である。
【図１０】機器管理アプリケーションによる機器状態制御処理の流れを示すフローチャートである。
【図１１】機器状態制御処理時の機器管理画面の一例を示す図である。
【図１２】機器状態制御処理時の機器管理画面の一例を示す図である。
【図１３】機器状態制御処理時の機器管理画面の一例を示す図である。
【発明を実施するための形態】
【００１０】
以下、本発明の実施形態について添付の図面を参照しながら説明する。なお、本明細書及び図面において、実質的に同一の機能構成を有する構成要素については、同一の符号を付することにより重複した説明を省く。
【００１１】
［第１の実施形態］
＜１．機器管理システムの全体構成＞
はじめに、本実施形態に係る情報処理システムの一例である、機器管理システムの全体構成について説明する。図１は、本実施形態に係る情報処理システムの一例である、機器管理システム１００の全体構成を示す図である。
【００１２】
図１に示すように、機器管理システム１００は、レイアウト情報管理サーバ１１０と、社員情報管理サーバ１２０と、機器情報管理サーバ１３０と、機器管理装置１４０とを有する。更に、機器管理装置１４０により管理される複数の機器１５０＿１〜１５０＿ｎ（ｎは任意の数であり、機器の数を示す）を有する。
【００１３】
なお、機器管理システム１００を構成する各部（レイアウト情報管理サーバ１１０、社員情報管理サーバ１２０、機器情報管理サーバ１３０、機器管理装置１４０、機器１５０＿１〜１５０＿ｎ）はネットワーク１６０を介して通信可能に接続されている。
【００１４】
レイアウト情報管理サーバ１１０は、オフィス等の作業空間におけるレイアウトに関する情報（以下、「レイアウト情報」と称す）が格納されたレイアウト情報データベース１１１を有する。図２は、レイアウト情報管理サーバ１１０が有するレイアウト情報データベース１１１の一例を示す図である。
【００１５】
図２に示すように、レイアウト情報データベース１１１には、レイアウト情報２００が格納されている。レイアウト情報２００には、複数の領域レイアウト情報２００＿１〜２００＿ｍが含まれる。領域レイアウト情報２００＿１〜２００＿ｍは、オフィス等の作業空間を複数の領域に分けた場合の、それぞれの領域におけるレイアウト画像である（ｍは任意の数であり、オフィス等の作業空間における領域の数を示している）。例えば、領域レイアウト情報２００＿１は、オフィス等の作業空間における"Ａ棟３Ｆ"の領域のレイアウト画像である。
【００１６】
レイアウト情報管理サーバ１１０では、機器管理装置１４０により指示された管理対象領域に基づいて、レイアウト情報データベース１１１内を検索し、当該管理対象領域に対応する領域レイアウト情報を、機器管理装置１４０に送信する。
【００１７】
社員情報管理サーバ１２０は、オフィス等の作業空間において勤務する社員に関する情報（以下、「社員情報」と称す）が格納された社員情報データベース１２１を有する。図３は、社員情報管理サーバ１２０が有する社員情報データベース１２１の一例を示す図である。
【００１８】
図３に示すように、社員情報データベース１２１には、社員情報３００が格納されている。社員情報３００には、情報の項目として、"社員名"、"ログイン情報"、"属性"、"管理対象領域"が含まれる。なお、"ログイン情報"には、機器管理装置１４０において、後述する機器管理アプリケーションを起動させた際に入力されるべきログイン情報が格納される。また、"属性"には、各社員が作業空間に設置された機器の管理を行う機器管理者であるか否かを示す情報が格納される。また、"管理対象領域"には、機器管理者である社員が機器の管理を行う対象となる領域を示す情報が格納される。
【００１９】
なお、社員情報３００の例では、"Ａ棟"と"Ｂ棟"とで異なる機器管理者により機器の管理が行われ、更に、"Ａ棟"においては、フロアごとに異なる機器管理者により機器の管理が行われることとなる。
【００２０】
社員情報管理サーバ１２０では、機器管理装置１４０により指示されたログイン情報に基づいて、社員情報データベース１２１内を検索し、当該ログイン情報を入力した社員が機器管理者であるか否かを"属性"に基づいて判定する。また、機器管理者であると判定した場合には、当該機器管理者が機器の管理を行う対象となる領域を示す情報を"管理対象領域"より読み出し、機器管理装置１４０に送信する。
【００２１】
機器情報管理サーバ１３０は、オフィス等の作業空間に設置されているすべての機器に関する情報（以下、「機器情報」と称す）が格納された機器情報データベース１３１を有する。図４は、機器情報管理サーバ１３０が有する機器情報データベース１３１の一例を示す図である。
【００２２】
図４に示すように、機器情報データベース１３１には、機器情報４００が格納されている。機器情報４００には、情報の項目として、"機器名"、"ＩＰアドレス"、"設置場所"、"機器状態情報"が含まれる。
【００２３】
このうち、"機器名"には、各機器の名称として、機器の型番等が格納される。また、"ＩＰアドレス"には、各機器が有するＩＰ（Internet Protocol）アドレスが格納される。また、"設置場所"には、各機器の設置場所を示す情報が格納される。図５の例では、"機器名"＝"ＭＦＰ−１"により特定される機器は、"Ａ棟３Ｆ"の"１ゾーン"に設置されている。同様に、"機器名"＝"ＭＦＰ−２"、"ＭＦＰ−３"、"ＭＦＰ−４"により特定される機器は、それぞれ、"Ａ棟３Ｆ"の"２ゾーン北側"、"３ゾーン北側"、"Ｂ棟１Ｆ"に設置されている。
【００２４】
"機器状態情報"には、各機器の状態を示す情報が格納される。本実施形態において、各機器の状態を示す情報は、"プロファイル設定状態"と"稼働状態"とに分類して格納される。"プロファイル設定状態"には、各機器に現在設定されているプロファイルの種類を示す情報が格納される。"稼働状態"には、各機器における現在の稼働状態を示す情報として、各機器の電源がＯＮ状態にあるのか、ＯＦＦ状態にあるのかを示す情報が格納される。
【００２５】
機器情報管理サーバ１３０では、機器管理装置１４０により指示された管理対象領域に基づいて、機器情報データベース１３１内を検索する。そして、指示された当該管理対象領域に対応する設置場所、ならびに当該設置場所に対応付られたＩＰアドレス及び機器状態情報（つまり、指示された当該管理対象領域に対応する機器情報）を読み出し、機器管理装置１４０に送信する。
【００２６】
なお、機器情報管理サーバ１３０では、所定の周期で各機器１５０＿１〜１５０＿ｎと通信を行うことで、機器情報データベース１３１に含まれる機器情報４００のうち、"プロファイル設定状態"及び"稼働状態"に格納されている情報の更新を行う。また、機器管理装置１４０より更新指示があった場合にもこれらの情報の更新を行う。
【００２７】
機器管理装置１４０は、機器管理者が各機器１５０＿１〜１５０＿ｎを管理する際に用いる情報処理装置である。機器管理者は、機器管理装置１４０を介して、管理対象領域の機器を把握したり、管理対象領域の機器の状態を把握したりする。更に、管理対象領域の機器に対して、機器の状態を変更するための指示を出力したりする。なお、機器管理装置１４０の詳細は後述する。
【００２８】
機器１５０＿１〜１５０＿ｎは、機器管理装置１４０により管理される機器であり、例えば、コピー機やプリンタ、ファクシミリ、複合機等が含まれる。なお、機器１５０＿１〜１５０＿ｎは、ネットワーク１６０を介して機器管理装置１４０からの指示を受信することで動作するように構成されているものとする。
【００２９】
＜２．機器管理装置のハードウェア構成＞
次に、機器管理装置１４０のハードウェア構成について説明する。図５は、機器管理装置１４０のハードウェア構成を示す図である。図５に示すように、機器管理装置１４０は、ＣＰＵ（Central Processing Unit）５０１、ＲＯＭ（Read Only Memory）５０２、ＲＡＭ（Random Access Memory）５０３、記憶装置５０４を備える。更に、入力部５０５、表示部５０６、通信部５０７を備える。なお、機器管理装置１４０の各部は、バス５０８を介して相互に接続されているものとする。
【００３０】
ＣＰＵ５０１は、記憶装置５０４に格納された機器管理アプリケーション５１０を実行するコンピュータである。ＣＰＵ５０１が、機器管理アプリケーション５１０を実行することにより、機器管理装置１４０では、後述する機器管理処理を実現する。
【００３１】
ＲＯＭ５０２は不揮発性メモリである。ＲＯＭ５０２は、記憶装置５０４に格納された機器管理アプリケーション５１０を、ＣＰＵ５０１が実行するために必要な各種プログラム、データ等を格納する。具体的には、ＢＩＯＳ（Basic Input/Output System）やＥＦＩ（Extensible Firmware Interface）等のブートプログラムなどを格納する。
【００３２】
ＲＡＭ５０３は、ＤＲＡＭ（Dynamic Random Access Memory）やＳＲＡＭ（Static Random Access Memory）等の主記憶装置である。ＲＡＭ５０３は、記憶装置５０４に格納された機器管理アプリケーション５１０がＣＰＵ５０１によって実行される際に展開される、作業領域として機能する。
【００３３】
記憶装置５０４は、機器管理アプリケーション５１０を格納する。入力部５０５は、機器管理者が機器管理装置１４０に対して各種指示を入力する際に用いる装置である。表示部５０６は、機器管理アプリケーション５１０の起動に伴ってログイン画面を表示したり、機器管理画面を表示したりする装置である。
【００３４】
通信部５０７は、ネットワーク１６０を介して、レイアウト情報管理サーバ１１０、社員情報管理サーバ１２０、機器情報管理サーバ１３０、機器１５０＿１〜１５０＿ｎと通信を行う装置である。
【００３５】
＜３．機器管理アプリケーションの機能構成＞
次に、機器管理アプリケーション５１０の機能構成について説明する。図６は、機器管理アプリケーション５１０の機能構成を示す図である。
【００３６】
図６に示すように、機器管理アプリケーション５１０は、機器管理者識別部６０１、機器管理者情報取得部６０２、レイアウト情報取得部６０３、機器情報取得部６０４を有する。また、画面生成部６０５、表示制御部６０６を有する。更に、操作識別部６０７、プロファイル設定状態制御部６０８、稼働状態制御部６０９を有する。
【００３７】
機器管理者識別部６０１は、機器管理アプリケーション５１０が起動する際に、表示部５０６に表示されるログイン画面に機器管理者がログイン情報を入力した場合に、該ログイン情報の正否を識別する。また、ログイン情報が正しいと識別した場合に、機器管理者情報取得部６０２に対して、当該ログイン情報を出力する。
【００３８】
機器管理者情報取得部６０２は、機器管理者識別部６０１より出力されたログイン情報に基づいて、社員情報データベース１２１にアクセスし、当該ログイン情報を有する社員を検索する。
【００３９】
具体的には、社員情報データベース１２１内を検索し、当該ログイン情報を有する社員が社員情報３００において機器管理者として登録されているか否かを判定する。そして、機器管理者として登録されていると判定した場合には、"管理対象領域"に格納された、当該社員が機器の管理を行う対象となる領域を示す情報を社員情報データベース１２１より取得する。なお、機器の管理を行う対象となる領域を示す情報は、レイアウト情報取得部６０３及び機器情報取得部６０４に出力される。
【００４０】
レイアウト情報取得部６０３は、機器管理者情報取得部６０２により取得された、機器の管理を行う対象となる領域を示す情報に基づいて、レイアウト情報管理サーバ１１０にアクセスする。そして、レイアウト情報データベース１１１から、当該機器の管理を行う対象となる領域を示す情報に対応する領域レイアウト情報を取得する。なお、レイアウト情報取得部６０３において取得された領域レイアウト情報は、画面生成部６０５に出力される。
【００４１】
機器情報取得部６０４は、機器管理者情報取得部６０２により取得された、機器の管理を行う対象となる領域を示す情報に基づいて、機器情報管理サーバ１３０にアクセスする。そして、機器情報データベース１３１から、当該情報により特定される管理対象領域を設置場所としている機器の機器情報を取得する。機器情報取得部６０４において取得された機器情報は、画面生成部６０５及びプロファイル設定状態制御部６０８、稼働状態制御部６０９に出力される。
【００４２】
画面生成部６０５は、機器管理アプリケーション５１０が起動する際に、ログイン画面を生成する。
【００４３】
また、レイアウト情報取得部６０３により取得された領域レイアウト情報と、機器情報取得部６０４により取得された機器情報とに基づいて、機器管理画面を生成する。
【００４４】
具体的には、機器情報の"設置場所"に格納された情報に基づいて、領域レイアウト情報であるレイアウト画像上の位置を特定する。また、当該特定した位置に、当該機器を示す識別子である機器アイコンを重畳して描画することで機器管理画面を生成する。
【００４５】
なお、レイアウト画像内にアイコンを重畳して描画するにあたっては、各機器アイコンにより特定される機器の稼働状態に応じた表示態様で機器アイコンを描画する。稼働状態に応じた表示態様とは、例えば、機器の電源がＯＮ状態とＯＦＦ状態とで、機器アイコンの濃度や輝度、彩度、透過度を変える表示態様が挙げられる。本実施形態においては、電源がＯＮ状態においては、機器アイコンが高濃度で表示されるように描画し、電源がＯＦＦ状態においては、機器アイコンが低濃度で表示されるように描画するものとする。
【００４６】
なお、機器管理画面の生成に際しては、機器管理画面を介して機器管理者により操作されることで実現される機能を示すアイコン（本実施形態では、機器の電源をＯＦＦ状態にするための電源ＯＦＦアイコン）も併せてレイアウト画像上に描画する。
【００４７】
表示制御部６０６は、画面生成部６０５において生成されたログイン画面や機器管理画面を表示部５０６に表示するよう制御する。
【００４８】
操作識別部６０７は、機器管理画面が表示部５０６に表示された状態で、機器管理者により操作された操作内容を識別する。また、識別した操作内容に応じて、プロファイル設定状態制御部６０８及び稼働状態制御部６０９に指示を出力する。
【００４９】
プロファイル設定状態制御部６０８は、機器情報取得部６０４から出力された機器情報と、操作識別部６０７からの指示とに基づいて動作する。具体的には、機器管理画面に表示された機器アイコンにより特定される機器に設定可能なプロファイルの一覧を表示したり、当該プロファイルの一覧より機器管理者が新たに選択したプロファイルを機器管理者が所望する機器に設定したりする。また、新たにプロファイルを設定した場合に、機器情報管理サーバ１３０に対して、当該プロファイルを新たに設定したことを通知することで、機器情報データベース１３１に対して更新指示を行う。
【００５０】
稼働状態制御部６０９は、機器情報取得部６０４から出力された機器情報と、操作識別部６０７からの指示とに基づいて動作する。具体的には、機器管理画面に表示された機器アイコンに対応する機器の電源をＯＮ状態からＯＦＦ状態に変更したり、ＯＦＦ状態からＯＮ状態に変更したりする。また、稼働状態を変更した場合に、機器情報管理サーバ１３０に対して、変更後の稼働状態を通知することで、機器情報データベース１３１に対して更新指示を行う。
【００５１】
なお、プロファイル設定状態制御部６０８及び稼働状態制御部６０９の動作内容は、画面生成部６０５に通知される。これにより、画面生成部６０５では、動作内容に応じた機器管理画面を生成し、表示制御部６０６が、当該生成された機器管理画面を表示部５０６に表示する。
【００５２】
＜４．機器管理画面の説明＞
次に、画面生成部６０５において生成される機器管理画面について説明する。図７は画面生成部６０５において生成される機器管理画面７００の一例を示す図である。
【００５３】
なお、機器管理画面７００は、"社員名"＝"××××"、"ログイン情報"＝"○○○○"の社員が機器管理アプリケーション５１０を起動させ、ログインすることにより表示部５０６に表示された機器管理画面の一例を示している。
【００５４】
図３に示す社員情報３００によれば、"社員名"＝"××××"、"ログイン情報"＝"○○○○"の社員は機器管理者であり、"管理対象領域"として"Ａ棟３Ｆ"が格納されている。このため、領域レイアウト情報２００＿１が取得される。また、機器情報４００によれば、"Ａ棟３Ｆ"には、３台のＭＦＰ（"機器名"＝"ＭＦＰ−１"、"ＭＦＰ−２"、"ＭＦＰ−３"）が設置されているため、機器管理画面７００には、機器アイコン７１０、７２０、７３０が表示される。
【００５５】
なお、機器情報データベース１３１によれば、"機器名"＝"ＭＦＰ−１"の機器は、"Ａ棟３Ｆ"の"１ゾーン"に設置されている。このため、当該機器を示す機器アイコン７１０は、領域レイアウト情報２００−１のレイアウト画像において、"１ゾーン"に対応する位置に配置される。
【００５６】
また、"機器名"＝"ＭＦＰ−２"の機器は、"Ａ棟３Ｆ"の"２ゾーン北側"に設置されているため、当該機器を示す機器アイコン７２０は、領域レイアウト情報２００−１のレイアウト画像において、"２ゾーン北側"に対応する位置に配置される。
【００５７】
また、"機器名"＝"ＭＦＰ−３"の機器は、"Ａ棟３Ｆ"の"３ゾーン北側"に設置されているため、当該機器を示す機器アイコン７３０は、領域レイアウト情報２００−１のレイアウト画像において、"３ゾーン北側"に対応する位置に配置される。
【００５８】
更に、画面生成部６０５では、機器管理者により操作されることで実現される機能を示すアイコンとして、電源ＯＦＦアイコンを生成するため、機器管理画面７００には、電源ＯＦＦアイコン７４０が表示される。
【００５９】
＜５．機器管理処理の流れ＞
次に、機器管理アプリケーション５１０による機器管理処理の流れについて、図８及び図９を用いて説明する。図８は、機器管理アプリケーション５１０による機器管理処理の流れを示すフローチャートである。また、図９は、機器管理アプリケーション５１０が実行されることにより、表示部５０６に表示される画面の一例を示す図である。以下、図９を参照しながら、図８のフローチャートに従って、機器管理処理の説明を行う。
【００６０】
機器管理者が機器管理アプリケーション５１０を起動させることで、図８に示す機器管理処理が開始される。ステップＳ８０１では、表示制御部６０６が、画面生成部６０５により生成されたログイン画面を、表示部５０６に表示する。図９（ａ）は、表示部５０６に表示されたログイン画面の一例である。図９（ａ）に示すログイン画面の例では、"ユーザＩＤ"と"パスワード"の入力を受け付ける。
【００６１】
ステップＳ８０２では、機器管理者識別部６０１が、ログイン画面を介して機器管理者が入力したログイン情報を受け付ける。図９（ｂ）は、ログイン画面を介して機器管理者がログイン情報を入力した様子を示している。
【００６２】
ステップＳ８０３では、機器管理者識別部６０１が、ステップＳ８０２において受け付けたログイン情報の正否を判定する。ステップＳ８０３において、ログイン情報が正しくない場合には、ログインに成功しなかったと判断し、機器管理処理を終了する。
【００６３】
一方、ステップＳ８０３においてログイン情報が正しい場合には、ログインに成功したと判断し、ステップＳ８０４に進む。ステップＳ８０４では、機器管理者情報取得部６０２が、ログイン情報に基づいて、社員情報データベース１２１にアクセスし、ログイン情報を入力した機器管理者が、社員情報３００において機器管理者として登録されているか否かを判定する。更に、社員情報３００に機器管理者として登録されていると判定した場合には、当該機器管理者が機器の管理を行う対象となる領域を示す情報を"管理対象領域"より取得する。
【００６４】
ステップＳ８０５では、ステップＳ８０４において取得した、機器の管理を行う対象となる領域を示す情報に基づいて、レイアウト情報取得部６０３が、レイアウト情報データベース１１１にアクセスし、領域レイアウト情報であるレイアウト画像を取得する。
【００６５】
ステップＳ８０６では、ステップＳ８０４において取得した、機器の管理を行う対象となる領域を示す情報に基づいて、機器情報取得部６０４が、機器情報データベース１３１にアクセスする。そして、機器情報データベース１３１の"設置場所"に格納されている情報のうち、機器の管理を行う対象となる領域を示す情報を含む機器を抽出する。更に、抽出した機器の機器情報を取得する。
【００６６】
ステップＳ８０７では、ステップＳ８０５において取得した領域レイアウト情報と、ステップＳ８０６において取得した機器情報とに基づいて、画面生成部６０５が、機器管理画面を生成し、表示制御部６０６が当該機器管理画面を表示する（図９（ｃ）参照）。
【００６７】
ステップＳ８０８では、操作識別部６０７が、表示された機器管理画面に対する機器管理者の操作を受け付け、操作内容を識別する。
【００６８】
ステップＳ８０９では、プロファイル設定状態制御部６０８または稼働状態制御部６０９が、ステップＳ８０８において識別した操作内容に応じて、機器状態（プロファイル設定状態、稼働状態）の制御を行う機器状態制御処理を実行する。なお、機器状態制御処理の詳細は後述する。
【００６９】
ステップＳ８１０では、操作識別部６０７が、機器管理アプリケーション５１０の終了指示が入力されたか否かを判定し、終了指示が入力されていないと判定した場合には、ステップＳ８０８に戻り、引き続き、機器管理者による操作を受け付ける。
【００７０】
一方、ステップＳ８１０において、機器管理アプリケーション５１０の終了指示が入力されたと判定された場合には、ステップＳ８１１に進む。ステップＳ８１１では、機器情報取得部６０４が、ステップＳ８０６において取得された機器情報のうち、ステップＳ８０９において機器状態が変更された機器情報を識別する。そして、機器状態が変更された機器情報を、機器情報管理サーバ１３０に通知することで、機器情報データベース１３１の更新指示を行う。この結果、機器情報管理サーバ１３０では、機器情報データベース１３１を更新する。
【００７１】
ステップＳ８１１において、機器状態が変更された機器情報についての、機器情報管理サーバ１３０への通知が完了すると、機器管理処理を終了する。
【００７２】
＜６．機器状態制御処理の流れ＞
次に、機器状態制御処理（ステップＳ８０９）の詳細について図１０〜図１３を用いて説明する。図１０は、機器状態制御処理（ステップＳ８０９）の詳細な流れを示すフローチャートである。また、図１１〜図１３は、機器状態制御処理時の機器管理画面の一例を示す図である。以下、図１１〜図１３を参照しながら、図１０のフローチャートに従って、機器状態制御処理の詳細な流れについて説明する。
【００７３】
ステップＳ１００１では、操作識別部６０７が、ステップＳ８０８において受け付けた、機器管理者による機器アイコン７１０〜７３０に対する操作の内容について判定する。
【００７４】
ステップＳ１００１における判定の結果、機器アイコンに対するダブルクリック操作であると判定された場合には、ステップＳ１００２に進む。ステップＳ１００２では、操作識別部６０７が、当該ダブルクリック操作が行われた機器アイコンが低濃度で表示されているか否か（つまり、電源がＯＦＦ状態であるか否か）を判定する。上述したように、機器管理アプリケーション５１０は、機器の電源がＯＦＦ状態の場合に、機器アイコンを低濃度で表示し、機器の電源がＯＮ状態の場合に、機器アイコンを高濃度で表示する。
【００７５】
ステップＳ１００２において、機器アイコンが高濃度で表示されていると判定された場合には、ステップＳ１００３に進み、プロファイル設定状態制御部６０８が、当該機器アイコンにより特定される機器に設定可能なプロファイルを識別する。更に、画面生成部６０５が、設定可能なプロファイルの一覧を含むプロファイル画面を生成し、表示制御部６０６が当該プロファイル画面を表示する。
【００７６】
図１１（ａ）は、機器管理者が高濃度で表示されている機器アイコン７１０をダブルクリックすることで、プロファイル画面１１００が表示された様子を示している。図１１（ａ）に示すように、プロファイル画面１１００には、機器アイコン７１０により特定される機器に設定可能なプロファイルの一覧が表示される。なお、プロファイル画面１１００に表示されたプロファイルの一覧のうち、機器アイコン７１０に対応する機器にすでに設定されているプロファイルについては、網掛け表示される。すでに設定されているプロファイルは、プロファイル設定状態制御部６０８が機器情報（"プロファイル設定状態"に格納されていた状態）に基づいて判断する。
【００７７】
プロファイル画面１１００には、"プロファイル一括設定"ボタン１１１０と"同期"ボタン１１２０とが配されている。プロファイル一括設定ボタン１１１０は、プロファイルの一覧のうち、機器管理者により選択されたプロファイルを、当該機器管理者の管理対象領域に設置されている全ての機器に送信するためのボタンである。
【００７８】
また、"同期"ボタン１１２０は、プロファイルの一覧のうち、機器管理者により選択されたプロファイルを、当該機器（ダブルクリック操作が行われた機器アイコン７１０により特定される機器）に送信するためのボタンである。
【００７９】
図１０に戻る。ステップＳ１００４では、操作識別部６０７が、プロファイル画面において機器管理者がプロファイルを選択したか否かを判定する。更に、機器管理者がプロファイル一括設定ボタン１１１０または同期ボタン１１２０を押圧したか否かを判定する。
【００８０】
ステップＳ１００４において、プロファイルが選択されなかった場合には、ステップＳ１００６に進む。また、プロファイルが選択されたが、プロファイル一括設定ボタン１１１０も同期ボタン１１２０も押圧されなかった場合には、ステップＳ１００６に進む。
【００８１】
一方、ステップＳ１００４において、プロファイルが選択され、かつ、プロファイル一括設定ボタン１１１０または同期ボタン１１２０のいずれかが選択された場合には、ステップＳ１００５に進む。
【００８２】
ステップＳ１００５では、プロファイル設定状態制御部６０８が、選択したプロファイルを機器管理者が所望する機器に送信する。なお、プロファイル一括設定ボタン１１１０が押圧されていた場合には、当該機器管理者の管理対象領域に設置されているすべての機器に対して、選択したプロファイルが送信される。また、同期ボタン１１２０が押圧されていた場合には、ダブルクリック操作が行われた機器アイコンにより特定される機器に、選択したプロファイルが送信される。その後、ステップＳ１００６に進む。なお、送信先への送信は、プロファイル設定状態制御部６０８が機器情報（"ＩＰアドレス"に格納されていたＩＰアドレス）に基づいて行う。
【００８３】
ステップＳ１００６では、表示制御部６０６がプロファイル画面１１００を消去する。更に、プロファイルが送信中であることを示す送信中画像を、プロファイルの送信先のアイコン近傍に表示する。
【００８４】
図１１（ｂ）は、プロファイル画面１１００において、プロファイル一覧の"プロファイル３"が選択され、"同期ボタン"１１２０が押圧された後の様子を示している。図１１（ｂ）に示すように、"プロファイル３"の送信先の機器を示す機器アイコン７１０の近傍に、プロファイルが送信中であることを示す送信中画像１１３０が表示される。なお、プロファイルが送信中であることを示す送信中画像１１３０は、プロファイルの送信が完了すると消去される。
【００８５】
図１０に戻る。ステップＳ１００１における判定の結果、機器アイコンのドラッグ＆ドロップ操作が行われたと判定された場合には、ステップＳ１００７に進む。ステップＳ１００７では、稼働状態制御部６０９が、ドラッグ＆ドロップ操作が行われた機器アイコンにより特定される機器に対して、電源ＯＦＦの指示を送信する。
【００８６】
更に、ステップＳ１００８では、画面生成部６０５が、ドラッグ＆ドロップ操作が行われた機器アイコンの表示態様を低濃度に変更し、表示制御部６０６が、変更後の機器アイコンを表示する。
【００８７】
図１２（ａ）は、機器管理画面７００において、機器アイコン７２０に対してドラッグ＆ドロップ操作を行う様子を示している。図１２（ａ）に示すように、機器アイコン７２０に対してドラッグ操作を行い、矢印１２００に従って移動させ、電源ＯＦＦアイコン７４０にてドロップ操作を行うと、機器アイコン７２０により特定される機器に対して、電源ＯＦＦの指示が送信される。
【００８８】
図１２（ｂ）は、電源ＯＦＦの指示が送信された後の機器管理画面７００を示している。図１２（ｂ）に示すように、図１２（ａ）において高濃度で表示されていた機器アイコン７２０が、低濃度の表示の機器アイコン１２２０に変更される。
【００８９】
図１０に戻る。ステップＳ１００２において、機器アイコンが低濃度で表示されていると判定された場合には、ステップＳ１００９に進み、稼働状態制御部６０９が、当該機器アイコンにより特定される機器に電源ＯＮの指示を送信する。更に、ステップＳ１０１０では、当該アイコンを高濃度の表示に変更する。
【００９０】
図１３（ａ）は、機器アイコン１２２０が低濃度で表示されている（つまり、機器アイコン１２２０により特定される機器の電源がＯＦＦ状態になっている）様子を示している。図１３（ａ）に示す機器管理画面において、低濃度で表示されている機器アイコン１２２０に対してダブルクリック操作を行うと、機器アイコン１２２０により特定される機器に対して電源ＯＮの指示が送信される。これにより、図１３（ｂ）に示すように、高濃度の表示の機器アイコン７２０に変更される。
【００９１】
このように、機器管理アプリケーション５１０による機器状態制御処理では、機器管理者により操作された機器アイコンにより特定される機器の機器状態と、機器管理者による操作の内容とに基づいて、当該機器の機器状態を制御する。このため、機器管理者にとっては、簡単な操作で、機器の機器状態を制御することが可能となる。
【００９２】
＜７．まとめ＞
以上の説明から明らかなように、本実施形態に係る機器管理システム１００では、
・機器管理アプリケーションを起動した際に表示されるログイン画面において入力されたログイン情報に基づいて、社員情報データベースにアクセスする構成とした。また、当該ログイン情報を入力した機器管理者が、社員情報データベースに機器管理者として登録されているか否かを判定するとともに、機器管理者として登録されていると判定された場合に、当該機器管理者の管理対象領域を取得する構成とした。
・取得した管理対象領域に基づいて、レイアウト情報データベース及び機器情報データベースにアクセスし、当該管理対象領域のレイアウト画像と、当該管理対象領域に設置されている機器の機器情報を取得する構成とした。
・取得したレイアウト画像と機器情報とに基づいて、レイアウト画像上に機器アイコンを重畳して描画した機器管理画面を生成し、機器の稼働状態に応じた表示態様で表示する構成とした。
・機器管理画面において、機器アイコンを操作することで、当該機器アイコンにより特定される機器のプロファイル設定状態を表示する構成とした。
【００９３】
これにより、機器管理者は、管理対象領域内に設置された各機器を直ちに把握することができるようになる。また、各機器の表示態様に基づいて、各機器の稼働状態を直ちに把握することができるようになる。更に、各機器のプロファイル設定状態を直ちに把握することができるようになる。
【００９４】
更に、本実施形態に係る機器管理システム１００では、
・機器管理画面に表示された機器アイコンに対する機器管理者の操作内容を識別し、識別した操作内容と、当該機器アイコンにより特定される機器の機器状態とに応じた指示を、当該機器アイコンにより特定される機器に対して送信する構成とした。
【００９５】
これにより、機器管理者は、操作した機器アイコンにより特定される機器または機器管理領域内に設置されている各機器に対して、所望のプロファイルを容易に配布することができるようになる。更に、操作した機器アイコンにより特定される機器の電源を、ＯＮ状態からＯＦＦ状態に制御したり、ＯＦＦ状態からＯＮ状態に制御したりする操作を容易に行うことができるようになる。
【００９６】
つまり、管理対象となる機器を機器管理者が容易に把握することができるユーザインタフェースを提供することが可能となる。更に、機器の機器状態を把握したり制御したりするのに、機器管理者にとって使い勝手のよいユーザインタフェースを提供することが可能となる。この結果、機器管理における機器管理者の利便性を向上させることが可能となる。
【００９７】
［第２の実施形態］
上記第１の実施形態では、機器管理画面に表示された機器アイコンに対する操作に基づいて、管理対象領域に設置された機器の機器状態を制御する例として、プロファイルの設定状態と機器の稼働状態を制御する場合について説明したが、本発明はこれに限定されない。管理対象領域に設置された機器の他の機器状態を制御するために、他の指示を送信する構成としてもよい。
【００９８】
また、上記第１の実施形態では、機器管理画面において、機器を示す識別子として機器アイコンを表示する場合について説明したが、本発明はこれに限定されず、機器アイコン以外の識別子により、機器を表示する構成としてもよい。
【００９９】
また、上記第１の実施形態では、機器管理者により操作されることで実現される機能を示すアイコンとして、電源ＯＦＦアイコンを表示する構成としたが、本発明はこれに限定されず、他の機能を実現するためのアイコンを表示する構成としてもよい。
【０１００】
また、上記第１の実施形態では、ログイン画面において入力されたログイン情報に基づいて、社員情報データベース１２１にアクセスする構成としたが、本発明はこれに限定されない。例えば、ログイン情報以外の認証情報に基づいて、社員情報データベース１２１にアクセスする構成としてもよい。
【０１０１】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０１０２】
１００                ：機器管理システム
１１０                ：レイアウト情報管理サーバ
１１１                ：レイアウト情報データベース
１２０                ：社員情報管理サーバ
１２１                ：社員情報データベース
１３０                ：機器情報管理サーバ
１３１                ：機器情報データベース
１４０                ：機器管理装置
１５０＿１〜１５０＿ｎ：機器
２００                ：レイアウト情報
２００＿１〜２００＿ｍ：領域レイアウト情報
３００                ：社員情報
４００                ：機器情報
５１０                ：機器管理アプリケーション
６０１                ：機器管理者識別部
６０２                ：機器管理者情報取得部
６０３                ：レイアウト情報取得部
６０４                ：機器情報取得部
６０５                ：画面生成部
６０６                ：表示制御部
６０７                ：操作識別部
６０８                ：プロファイル設定状態制御部
６０９                ：稼働状態制御部
７００                ：機器管理画面
７１０〜７３０        ：機器アイコン
７４０                ：電源ＯＦＦアイコン
９００                ：ログイン画面
１１００              ：プロファイル画面
１１１０              ：プロファイル一括設定ボタン
１１２０              ：同期ボタン
１１３０              ：送信中画像
１２２０              ：機器アイコン
【先行技術文献】
【特許文献】
【０１０３】
【特許文献１】特開２００８−１９７８２８号公報
【図１】
2015170123.tif 000003
【図２】
2015170123.tif 000004
【図３】
2015170123.tif 000005
【図４】
2015170123.tif 000006
【図５】
2015170123.tif 000007
【図６】
2015170123.tif 000008
【図７】
2015170123.tif 000009
【図８】
2015170123.tif 000010
【図９】
2015170123.tif 000011
【図１０】
2015170123.tif 000012
【図１１】
2015170123.tif 000013
【図１２】
2015170123.tif 000014
【図１３】
2015170123.tif 000015